(57)【要約】【課題】作業員が秘密情報を知ること無く、低コストで、秘密情報を隠蔽した印刷物を作成できるようにすること。【解決手段】用紙に任意の情報を印字する印字ユニットと、印字ユニットに用紙を供給する第１〜Ｎ（Ｎは２以上の自然数）の給紙ユニットと、印字ユニットで印字された用紙を積み上げるスタッカユニットとを備え、ｉ＝Ｎからｉ＝１になるまで降順に、用紙を、第ｉの給紙ユニットから印字ユニットに供給し、この用紙に印字すべき情報を印字ユニットで印字した後、スタッカユニットに排出して積み上げることを、繰り返す手段を具備することを特徴とするプリンタ装置。【選択図】図６
2004306406.tif 000002
【特許請求の範囲】
【請求項１】
用紙に任意の情報を印字する印字ユニットと、印字ユニットに用紙を供給する第１〜Ｎ（Ｎは２以上の自然数）の給紙ユニットと、印字ユニットで印字された用紙を積み上げるスタッカユニットとを備え、
ｉ＝Ｎからｉ＝１になるまで降順に、用紙を、第ｉの給紙ユニットから印字ユニットに供給し、この用紙に印字すべき情報を印字ユニットで印字した後、スタッカユニットに排出して積み上げることを、繰り返す手段を具備することを特徴とするプリンタ装置。
【請求項２】
用紙をスタッカユニットに排出した後、次の用紙をスタッカユニットに排出までの時間が、０．３秒以内であることを特徴とする請求項１に記載のプリンタ装置。
【請求項３】
Ｎ＝２であり、
第１の給紙ユニットから供給される用紙は、その下面に剥離可能接着剤が塗布されており、
第２の給紙ユニットから供給される用紙は、その上面に剥離可能接着剤が塗布されていることを特徴とする請求項１又は２に記載のプリンタ装置。
【請求項４】
Ｎ≧３であり、
第１の給紙ユニットから供給される用紙は、その下面に剥離可能接着剤が塗布されており、
第２〜Ｎ−１の給紙ユニットから供給される用紙は、その両面に剥離可能接着剤が塗布されており、
第Ｎの給紙ユニットから供給される用紙は、その上面に剥離可能接着剤が塗布されていることを特徴とする請求項１又は２に記載のプリンタ装置。
【請求項５】
Ｎ＝２であり、
第１の給紙ユニットから供給される用紙は、その下面に発色剤マイクロカプセルが塗布されており、
第２の給紙ユニットから供給される用紙は、その上面に顕色剤が塗布されていることを特徴とする請求項１又は２に記載のプリンタ装置。
【請求項６】
Ｎ≧３であり、
第１の給紙ユニットから供給される用紙は、その下面に発色剤マイクロカプセルが塗布されており、
第２〜Ｎ−１の給紙ユニットから供給される用紙は、その上面に顕色剤が、その下面に発色剤マイクロカプセルが、それぞれ塗布されており、
第Ｎの給紙ユニットから供給される用紙は、その上面に顕色剤が塗布されていることを特徴とする請求項１又は２に記載のプリンタ装置。
【請求項７】
用紙に任意の情報を印字する印字ユニットと、印字ユニットに用紙を供給する第１〜Ｎ（Ｎは２以上の自然数）の給紙ユニットと、印字ユニットで印字された用紙を積み上げるスタッカユニットとを備える装置が実行する方法であって、
ｉ＝Ｎからｉ＝１になるまで降順に、用紙を、第ｉの給紙ユニットから印字ユニットに供給し、この用紙に印字すべき情報を印字ユニットで印字した後、スタッカユニットに排出して積み上げることを、繰り返すことを特徴とするプリント方法。
【請求項８】
用紙をスタッカユニットに排出した後、次の用紙をスタッカユニットに排出までの時間が、０．３秒以内であることを特徴とする請求項７に記載のプリント方法。
【請求項９】
Ｎ＝２であり、
第１の給紙ユニットから供給される用紙は、その下面に剥離可能接着剤が塗布されており、
第２の給紙ユニットから供給される用紙は、その上面に剥離可能接着剤が塗布されていることを特徴とする請求項７又は８に記載のプリント方法。
【請求項１０】
Ｎ≧３であり、
第１の給紙ユニットから供給される用紙は、その下面に剥離可能接着剤が塗布されており、
第２〜Ｎ−１の給紙ユニットから供給される用紙は、その両面に剥離可能接着剤が塗布されており、
第Ｎの給紙ユニットから供給される用紙は、その上面に剥離可能接着剤が塗布されていることを特徴とする請求項７又は８に記載のプリント方法。
【請求項１１】
Ｎ＝２であり、
第１の給紙ユニットから供給される用紙は、その下面に発色剤マイクロカプセルが塗布されており、
第２の給紙ユニットから供給される用紙は、その上面に顕色剤が塗布されていることを特徴とする請求項７又は８に記載のプリント方法。
【請求項１２】
Ｎ≧３であり、
第１の給紙ユニットから供給される用紙は、その下面に発色剤マイクロカプセルが塗布されており、
第２〜Ｎ−１の給紙ユニットから供給される用紙は、その上面に顕色剤が、その下面に発色剤マイクロカプセルが、それぞれ塗布されており、
第Ｎの給紙ユニットから供給される用紙は、その上面に顕色剤が塗布されていることを特徴とする請求項７又は８に記載のプリント方法。
【発明の詳細な説明】
【０００１】
【発明の属する技術分野】
本発明は、秘密情報を隠蔽した印刷物を作成するためのプリンタ装置及びプリント方法に関する。
【０００２】
【従来の技術】
従来から、印刷物の中には、秘密情報を隠蔽したものがある。このような印刷物の例として、シークレット葉書がある。
【０００３】
シークレット葉書は、一般に、図１の（Ａ）に示すように、予め接着剤塗布、および剥離可能接着剤塗布加工されている用紙に、宛名情報、および秘密情報を同時に印字し、その後、図１の（Ｂ）に示すように、接着剤塗布面が互いに向き合い、かつ剥離可能接着剤塗布面が互いに向き合うように、用紙を折り曲げて、接着剤塗布面同士を接着し、かつ剥離可能接着剤塗布面同士を剥離可能に接着することで、秘密情報の隠蔽を行なっている。ここで、剥離可能接着剤は、これを塗布した用紙の面同士を、対接した状態で、圧力、又は熱圧を加えたり、或いは水を付与することで剥離可能に接着し、これを塗布した用紙の面と、これを塗布していない用紙の面とは接着しない性質を有する接着剤である。
【０００４】
このようなシークレット葉書の製造工程では、作業員が、宛名情報と秘密情報とを同時に目視確認することができるために、セキュリティ上は、必ずしも好ましいとは言えない。
【０００５】
また、何枚かの用紙を綴じた複写伝票に、秘密情報を隠蔽するには、二枚目以降の特定の用紙の隠れている面のみに、秘密情報が印字されれば良い。
【０００６】
しかし、用紙を複写伝票に製本してから印字するのでは、秘密情報が不必要な用紙にまで印字の跡がついたりするので、一枚目には印字せずに二枚目以降に印字することが困難であった。
【０００７】
これを解決する方法として、図２に示すように、別々に製造した用紙に、それぞれ、公開しても良い個人情報と、秘密情報とを別々に印字を施し、後にマッチングしてコレートする方法があるが、この方法でも印字後コレートするまでの間に、作業員が、印字された個人情報と秘密情報とを同時に目視確認することができてしまうため、セキュリティ上は必ずしも好ましいとは言えない。そこで、セキュリティを向上させるために、印字、マッチング、コレートを一つの工程で行うと、印字機構が２重に必要なため、コストが高くなってしまう。
【０００８】
【発明が解決しようとする課題】
本発明は、係る従来技術の欠点に鑑みてなされたもので、作業員が秘密情報を知ること無く、低コストで、秘密情報を隠蔽した印刷物を作成できるようにすることを課題とする。
【０００９】
【課題を解決するための手段】
本発明において上記の課題を達成するために、まず請求項１の発明では、用紙に任意の情報を印字する印字ユニットと、印字ユニットに用紙を供給する第１〜Ｎ（Ｎは２以上の自然数）の給紙ユニットと、印字ユニットで印字された用紙を積み上げるスタッカユニットとを備え、
ｉ＝Ｎからｉ＝１になるまで降順に、用紙を、第ｉの給紙ユニットから印字ユニットに供給し、この用紙に印字すべき情報を印字ユニットで印字した後、スタッカユニットに排出して積み上げることを、繰り返す手段を具備することを特徴とするプリンタ装置としたものである。
【００１０】
また請求項２の発明では、用紙をスタッカユニットに排出した後、次の用紙をスタッカユニットに排出までの時間が、０．３秒以内であることを特徴とする請求項１に記載のプリンタ装置としたものである。
【００１１】
また請求項３の発明では、Ｎ＝２であり、
第１の給紙ユニットから供給される用紙は、その下面に剥離可能接着剤が塗布されており、
第２の給紙ユニットから供給される用紙は、その上面に剥離可能接着剤が塗布されていることを特徴とする請求項１又は２に記載のプリンタ装置としたものである。
【００１２】
また請求項４の発明では、Ｎ≧３であり、
第１の給紙ユニットから供給される用紙は、その下面に剥離可能接着剤が塗布されており、
第２〜Ｎ−１の給紙ユニットから供給される用紙は、その両面に剥離可能接着剤が塗布されており、
第Ｎの給紙ユニットから供給される用紙は、その上面に剥離可能接着剤が塗布されていることを特徴とする請求項１又は２に記載のプリンタ装置としたものである。
【００１３】
また請求項５の発明では、Ｎ＝２であり、
第１の給紙ユニットから供給される用紙は、その下面に発色剤マイクロカプセルが塗布されており、
第２の給紙ユニットから供給される用紙は、その上面に顕色剤が塗布されていることを特徴とする請求項１又は２に記載のプリンタ装置としたものである。
【００１４】
また請求項６の発明では、Ｎ≧３であり、
第１の給紙ユニットから供給される用紙は、その下面に発色剤マイクロカプセルが塗布されており、
第２〜Ｎ−１の給紙ユニットから供給される用紙は、その上面に顕色剤が、その下面に発色剤マイクロカプセルが、それぞれ塗布されており、
第Ｎの給紙ユニットから供給される用紙は、その上面に顕色剤が塗布されていることを特徴とする請求項１又は２に記載のプリンタ装置としたものである。
【００１５】
また請求項７の発明では、用紙に任意の情報を印字する印字ユニットと、印字ユニットに用紙を供給する第１〜Ｎ（Ｎは２以上の自然数）の給紙ユニットと、印字ユニットで印字された用紙を積み上げるスタッカユニットとを備える装置が実行する方法であって、
ｉ＝Ｎからｉ＝１になるまで降順に、用紙を、第ｉの給紙ユニットから印字ユニットに供給し、この用紙に印字すべき情報を印字ユニットで印字した後、スタッカユニットに排出して積み上げることを、繰り返すことを特徴とするプリント方法としたものである。
【００１６】
また請求項８の発明では、用紙をスタッカユニットに排出した後、次の用紙をスタッカユニットに排出までの時間が、０．３秒以内であることを特徴とする請求項７に記載のプリント方法としたものである。
【００１７】
また請求項９の発明では、Ｎ＝２であり、
第１の給紙ユニットから供給される用紙は、その下面に剥離可能接着剤が塗布されており、
第２の給紙ユニットから供給される用紙は、その上面に剥離可能接着剤が塗布されていることを特徴とする請求項７又は８に記載のプリント方法としたものである。
【００１８】
また請求項１０の発明では、Ｎ≧３であり、
第１の給紙ユニットから供給される用紙は、その下面に剥離可能接着剤が塗布されており、
第２〜Ｎ−１の給紙ユニットから供給される用紙は、その両面に剥離可能接着剤が塗布されており、
第Ｎの給紙ユニットから供給される用紙は、その上面に剥離可能接着剤が塗布されていることを特徴とする請求項７又は８に記載のプリント方法としたものである。
【００１９】
また請求項１１の発明では、Ｎ＝２であり、
第１の給紙ユニットから供給される用紙は、その下面に発色剤マイクロカプセルが塗布されており、
第２の給紙ユニットから供給される用紙は、その上面に顕色剤が塗布されていることを特徴とする請求項７又は８に記載のプリント方法としたものである。
【００２０】
また請求項１２の発明では、Ｎ≧３であり、
第１の給紙ユニットから供給される用紙は、その下面に発色剤マイクロカプセルが塗布されており、
第２〜Ｎ−１の給紙ユニットから供給される用紙は、その上面に顕色剤が、その下面に発色剤マイクロカプセルが、それぞれ塗布されており、
第Ｎの給紙ユニットから供給される用紙は、その上面に顕色剤が塗布されていることを特徴とする請求項７又は８に記載のプリント方法としたものである。
【００２１】
【発明の実施の形態】
以下に、本発明の実施形態を、２枚以上の用紙が積層されて構成される印刷物が、シークレット葉書、又は複写伝票である場合を例に採って、説明する。
【００２２】
図３は、２枚の用紙が積層されて構成されるシークレット葉書の印刷例を説明する図である。図４は、２枚の用紙が積層されて構成される複写伝票の印刷例を説明する図である。図５は、３枚以上の用紙が積層されて構成されるシークレット葉書の印刷例を説明する図である。図６は、３以上の用紙が積層されて構成される複写伝票の印刷例を説明する図である。
【００２３】
本実施形態では、Ｎ（≧２）枚の用紙が積層されて構成される印刷物の印刷を、Ｎ個の給紙ユニットと、印字ユニットと、スタッカユニットと、印字コントロールシステムとを備えるプリンタ装置を用いて行う。
【００２４】
本実施形態では、個々の給紙ユニットを、１〜Ｎまでの番号を付けて識別し、ｉ（１≦ｉ≦Ｎ）の番号付けたものを、便宜上、給紙ユニット−ｉと呼ぶことにする。
【００２５】
給紙ユニット−ｉは、印刷物を構成するｉ枚目の用紙を積載し、その給紙ユニット−ｉを選択する情報をコントロールシステムが送信すると、積載している用紙を一枚印字ユニットに供給する。
【００２６】
印刷物がシークレット葉書である場合、各給紙ユニットに積載される用紙は、次のようなものである。まず、給紙ユニット−１には、図３及び図５に示すように、下面に剥離可能接着剤を塗布した用紙が積載される。また、給紙ユニット−Ｎ（Ｎが２のときには、もちろん給紙ユニット−２）には、図３及び図５に示すように、上面に剥離可能接着剤を塗布した用紙が積載される。また、Ｎが３以上のとき、給紙ユニット−ｉ（１＜ｉ＜Ｎ）には、図５に示すように、両面に剥離可能接着剤を塗布した用紙が積載される。
【００２７】
ここで、剥離可能接着剤は、前述の通り、これを塗布した用紙の面同士を、対接した状態で、圧力、又は熱圧を加えたり、或いは水を付与することで剥離可能に接着し、これを塗布した用紙の面と、これを塗布していない用紙の面とは接着しない性質を有する接着剤である。
【００２８】
印刷物が複写伝票である場合、各給紙ユニットに積載される用紙は、次のようなものである。まず、給紙ユニット−１には、図４及び図６に示すように、下面に発色剤マイクロカプセルを塗布した用紙が積載される。また、給紙ユニット−Ｎ（Ｎが２のときには、もちろん給紙ユニット−２）には、図４及び図６に示すように、上面に顕色剤を塗布した用紙が積載される。また、Ｎが３以上のとき、給紙ユニット−ｉ（１＜ｉ＜Ｎ）には、図６に示すように、上面に顕色剤を塗布し下面に発色剤マイクロカプセルを塗布した用紙が積載される。
【００２９】
印字ユニットは、各給紙ユニットから供給される用紙の上面に、印字コントロールシステムから受信した印字データが表す情報を印字する。印字後、用紙は、スタッカユニットに排出され積み上げられる。
【００３０】
印字コントロールシステムは、ｉ＝Ｎからｉ＝１まで降順に、給紙ユニット−ｉを選択する情報を給紙ユニット−ｉに送信し、また、給紙ユニット−ｉから印字ユニット供給される用紙に印字すべき情報を表す印字データを印字ユニットに送信することを、繰り返す。これにより、プリンタ装置は、ｉ＝Ｎからｉ＝１まで降順に、用紙を、給紙ユニット−ｉから印字ユニットに供給し、この用紙に印字すべき情報を印字ユニットで印字した後、スタッカユニットに排出し積み上げることを繰り返す。ある用紙をスタッカユニットに排出してから、次の用紙をスタッカユニットに排出するまでの時間が、０．３秒以内であれば、前に排出された用紙に印字された情報を、作業員が読み取ることはできない。
また、印字された情報を下側に向けて用紙をスタッカユニットに排出し積み上げても良い。この場合、秘密情報も下側を向いてスタッカユニットに積み上げられるので、ある用紙をスタッカユニットに排出してから、次の用紙をスタッカユニットに排出するまでの時間に関係なく、作業員が秘密情報を読み取ることはできない。
【００３１】
各用紙に印字すべき情報は、各用紙ごとに異なっても良い。例えば、シークレット葉書の場合、図３及び図５に示すように、給紙ユニット−１から印字ユニットに供給される用紙に印字すべき情報は、宛名情報であり、給紙ユニット−ｉ（２≦ｉ≦Ｎ）から印字ユニットに供給される用紙に印字すべき情報は、秘密情報である。また例えば、複写伝票の場合、図４及び図６に示すように、給紙ユニット−１から印字ユニットに供給される用紙に印字すべき情報は、一般情報であり、給紙ユニット−ｉ（２≦ｉ≦Ｎ）から印字ユニットに供給される用紙に印字すべき情報は、秘密情報である。
【００３２】
シークレット葉書の場合は、積み上げられた用紙の積層物に、圧力、又は熱圧を加えたり、或いは水を付与することで、剥離可能接着剤塗布面が対接している用紙同士が、剥離可能に接着し、剥離可能接着剤を塗布していない面が対接している用紙同士は接着しないので、秘密情報が作業員に知られることなく、秘密情報が隠蔽されたシークレット葉書が作成される。
【００３３】
複写伝票の場合は、積み上げられた用紙の積層物の側面に、感圧複写紙を組み分けするための接着剤（例えば、特公昭和６２−４７２２５号公報参照）を塗布することで、発色剤マイクロカプセルを塗布した面と、顕色剤を塗布した面とが対接している用紙同士の端部のみが接着し、発色剤マイクロカプセル或いは顕色剤の何れも塗布されていない面が対接している用紙同士は接着されないので、秘密情報が作業員に知られることなく、秘密情報が隠蔽された複写伝票が作成される。
【００３４】
【発明の効果】
本発明の効果を、各請求項に記載の発明ごとに、以下に列挙する。
【００３５】
請求項１及び７の発明は、用紙をスタッカユニットに排出した後、次の用紙をスタッカユニットに排出までの時間が短ければ、Ｎ（≧２）枚の用紙が積層されて構成される印刷物に、秘密情報を隠蔽することを、その秘密情報を作業員に知られること無く、低コストかつ容易に行えるという効果がある。
【００３６】
請求項２及び８の発明は、Ｎ（≧２）枚の用紙が積層されて構成される印刷物に、秘密情報を隠蔽することを、その秘密情報を作業員に絶対に知られること無く、低コストかつ容易に行えるという効果がある。
【００３７】
請求項３及び９の発明は、２枚の用紙が積層されて構成されるシークレット葉書に、秘密情報を隠蔽することを、その秘密情報を作業員に知られること無く、低コストかつ容易に行えるという効果がある。
【００３８】
請求項４及び１０の発明は、３枚以上の用紙が積層されて構成されるシークレット葉書に、秘密情報を隠蔽することを、その秘密情報を作業員に知られること無く、低コストかつ容易に行えるという効果がある。
【００３９】
請求項５及び１１の発明は、２枚の用紙が積層されて構成される複写伝票に、秘密情報を隠蔽することを、その秘密情報を作業員に知られること無く、低コストかつ容易に行えるという効果がある。
【００４０】
請求項６及び１２の発明は、３枚以上の用紙が積層されて構成される複写伝票に、秘密情報を隠蔽することを、その秘密情報を作業員に知られること無く、低コストかつ容易に行えるという効果がある。
【図面の簡単な説明】
【図１】シークレット葉書を作成する従来の方法の説明図。
【図２】秘密情報を隠蔽した複写伝票を作成する従来の方法の説明図。
【図３】２枚の用紙が積層されて構成されるシークレット葉書の本発明による印刷例の説明図。
【図４】２枚の用紙が積層されて構成される複写伝票の本発明による印刷例の説明図。
【図５】３枚以上の用紙が積層されて構成されるシークレット葉書の本発明による印刷例の説明図。
【図６】３枚以上の用紙が積層されて構成される複写伝票の本発明による印刷例の説明図。
【図１】
2004306406.tif 000003
【図２】
2004306406.tif 000004
【図３】
2004306406.tif 000005
【図４】
2004306406.tif 000006
【図５】
2004306406.tif 000007
【図６】
2004306406.tif 000008